(57)【要約】【課題】看板や壁等の非透過性の被照射面に対し、輝度ムラの抑制と輝度の向上とが可能な照明装置を提供する。【解決手段】本発明の一形態に係る照明装置は、発光素子と、発光素子を覆い、発光素子からの出射光を発光素子の光軸周りに６０度以上かつ９０度未満の配光角において出射光がピーク光度Ｉｐを有するように広げて通過させる光束制御部材と、光束制御部材からの出射光の一部を反射させて反射光を生成する反射面を有する反射板と、を備え、非透過性の被照射面を照射する。【選択図】図１
2018195427.tif 000002
【特許請求の範囲】
【請求項１】
発光素子と、
前記発光素子を覆い、前記発光素子からの出射光を前記発光素子の光軸周りに６０度以上かつ９０度未満の配光角において前記出射光がピーク光度Ｉｐを有するように広げて通過させる光束制御部材と、
前記光束制御部材からの前記出射光の一部を反射させて反射光を生成する反射面を有する反射板と、
を備え、
非透過性の被照射面を照射する、照明装置。
【請求項２】
前記反射面を含む第１面と、前記発光素子の光源を通り、且つ前記光軸に直交する第２面との交差角は、８０度より大きく且つ１００度より小さい、請求項１記載の照明装置。
【請求項３】
前記光軸を含み、前記反射面に直交する基準面内において、
前記配光角を成す前記出射光と、前記反射面との交点から前記第２面までの距離をＬとし、
前記配光角をαとすると、
前記発光素子から前記第１面までの距離であるＤは、式（１）を満たす、請求項２記載の照明装置。
Ｄ＝Ｌ×ｔａｎ（α）  …（１）
【請求項４】
前記反射面の拡散反射率が、０％より大きく且つ７０％より小さい、請求項１から３のいずれか一項記載の照明装置。
【請求項５】
前記ピーク光度Ｉｐを１とし、配光角０度における前記出射光の前記ピーク光度Ｉｐに対する相対光度をＩ０°、配光角３０度における前記出射光の前記ピーク光度Ｉｐに対する相対光度をＩ３０°、及び配光角６０度における前記出射光の前記ピーク光度Ｉｐに対する相対光度をＩ６０°とするとき、前記光束制御部材は、式（２）及び式（３）を満たすように前記出射光を制御する、請求項１から４のいずれか一項記載の照明装置。
１．５×Ｉ０°≦Ｉ３０°≦２×Ｉ０°  …（２）
４．５×Ｉ３０°≦Ｉ６０°  …（３）
【請求項６】
発光素子と、
前記発光素子を覆い、前記発光素子からの出射光を前記発光素子の光軸周りに６０度以上かつ９０度未満の配光角において前記出射光がピーク光度Ｉｐを有するように広げて通過させる光束制御部材と、
前記光束制御部材からの前記出射光の一部を反射させて反射光を生成する反射面を有する反射板と、
前記光束制御部材からの前記出射光と前記反射板からの前記反射光との両方が照射される非透過性の被照射面を有する被照射部と、を備える、照明システム。
【請求項７】
前記光軸と、前記被照射面の法線との成す角が、０度以上かつ１０度未満である、請求項６記載の照明システム。
【請求項８】
前記被照射部は、看板または壁である、請求項６または７記載の照明システム。
【発明の詳細な説明】
【技術分野】
【０００１】
本発明は、照明装置及び照明システムに関する。
【背景技術】
【０００２】
看板などの非透過性の被照射面を照らすための照明器具では、蛍光ランプや多数配列された発光ダイオード(ＬＥＤ)が光源として用いられている。特許文献１には、配光特性に指向性を有するＬＥＤ光源からの光束が、放物面形状の配光制御部材によって配光制御される照明器具が開示されている。
【先行技術文献】
【特許文献】
【０００３】
【特許文献１】特開２０１４−１１６２７０号公報
【発明の概要】
【発明が解決しようとする課題】
【０００４】
配光特性に指向性を有するＬＥＤ光源では、光軸近くの出射光の光強度は大きく、光軸から離れる程、出射光の光強度は小さくなる。発明者等の知見によれば、このような出射光に対して配光制御部材による配光制御を行った場合、輝度の向上には有利である反面、輝度ムラの抑制には不十分である。
【課題を解決するための手段】
【０００５】
本発明の一態様に係る照明装置は、発光素子と、発光素子を覆い、発光素子からの出射光を発光素子の光軸周りに６０度以上かつ９０度未満の配光角において出射光がピーク光度Ｉｐを有するように広げて通過させる光束制御部材と、光束制御部材からの出射光の一部を反射させて反射光を生成する反射面を有する反射板と、を備え、非透過性の被照射面を照射する。
【０００６】
本発明の一態様に係る照明システムは、発光素子と、発光素子を覆い、発光素子からの出射光を発光素子の光軸周りに６０度以上かつ９０度未満の配光角において出射光がピーク光度Ｉｐを有するように広げて通過させる光束制御部材と、光束制御部材からの出射光の一部を反射させて反射光を生成する反射面を有する反射板と、光束制御部材からの出射光と反射板からの反射光との両方が照射される非透過性の被照射面を有する被照射部と、を備える。
【０００７】
本発明の一態様に係る照明装置および照明システムでは、発光素子からの出射光が光束制御部材を通過して拡散することで光軸近傍の出射光の光強度は相対的に低減し、逆に、光軸から離れた方向への出射光の光強度は相対的に増大する。その結果、光束制御部材を通過した出射光の光強度は均一になり易く、輝度ムラの低減に有利である。この出射光の一部を反射することで生成される反射光も光強度は均一になり易く、従って、出射光と反射光とが重なり合ったとしても輝度ムラは生じ難い。つまり、反射光の少なくとも一部が出射光の被照射面に重なるように設定することで、看板や壁等の非透過性の被照射面を照射するに際し、輝度ムラの抑制と輝度の向上とを両立できる。
【発明の効果】
【０００８】
本発明の一態様に係る照明装置あるいは照明システムを使用することで、看板や壁等の非透過性の被照射面に対し、輝度ムラの抑制と輝度の向上とが可能な照明を提供できる。
【図面の簡単な説明】
【０００９】
【図１】図１の（ａ）図は、照明装置及び照明システムの側面図を示し、図１の（ｂ）図は、（ａ）図のｂ−ｂ線に沿った断面図を示す。
【図２】図２は、第１実施形態に係る発光素子モジュールを概略的に示す断面図である。
【図３】図３は、第１実施形態の発光素子モジュールにおける配光角と相対光度を示すグラフである。
【図４】図４は、第２実施形態に係る発光素子モジュールの外観図である。
【図５】図５の（ａ）図、（ｂ）図、（ｃ）図、（ｄ）図、（ｅ）図及び（ｆ）図は、実施例及び比較例に係る照明装置のための照度測定器を示す図である。
【図６】図６の（ａ）図、（ｂ）図、（ｃ）図、及び（ｄ）図は、実施例に係る照明装置における配光角と照度との関係、及び実施例に係る照明装置の照度を測定した結果を示す図である。
【図７】図７の（ａ）図及び（ｂ）図は、実施例に係る照明装置における配光角と照度との関係、並びに、実施例及び比較例に係る照明装置の照度を測定した結果を示す図であり、（ｃ）図及び（ｄ）図は、比較例に係る照明装置における配光角と照度との関係、並びに、実施例及び比較例に係る照明装置の照度を測定した結果を示す図である。
【図８】図８の（ａ）図は、実施例に係る照射システムにおいて非透過性の被照射面上の照度を測定した結果を示す図であり、（ｂ）図は、比較例に係る照射システムにおいて非透過性の被照射面上の照度を測定した結果を示す図である。
【発明を実施するための形態】
【００１０】
実施形態に係る照明装置は、発光素子と、発光素子を覆い、発光素子からの出射光を発光素子の光軸周りに６０度以上かつ９０度未満の配光角において出射光がピーク光度Ｉｐを有するように広げて通過させる光束制御部材と、光束制御部材からの出射光の一部を反射させて反射光を生成する反射面を有する反射板と、を備え、非透過性の被照射面を照射する。
【００１１】
また、実施形態に係る照明システムは、発光素子と、発光素子を覆い、発光素子からの出射光を発光素子の光軸周りに６０度以上かつ９０度未満の配光角において出射光がピーク光度Ｉｐを有するように広げて通過させる光束制御部材と、光束制御部材からの出射光の一部を反射させて反射光を生成する反射面を有する反射板と、光束制御部材からの出射光と反射板からの反射光との両方が照射される非透過性の被照射面を有する被照射部と、を備える。
【００１２】
上記の実施形態に係る照明装置及び照明システムでは、発光素子からの出射光が光束制御部材を通過して拡散することで光軸近傍の出射光の光強度は相対的に低減し、逆に、光軸から離れた方向への出射光の強度は相対的に増大する。その結果、光束制御部材を通過した出射光の光強度は均一になり易く、輝度ムラの低減に有利である。この出射光の一部を反射することで生成される反射光も光強度は均一になり易く、従って、出射光と反射光とが重なり合ったとしても輝度ムラは生じ難い。つまり、反射光の少なくとも一部が出射光の被照射面に重なるように設定することで、看板や壁等の非透過性の被照射面を照射するに際し、輝度ムラの抑制と輝度の向上とを両立できる。
【００１３】
別の態様に係る照明装置において、反射面を含む第１面と、発光素子の光源を通り、且つ光軸に直交する第２面との交差角は、８０度より大きく且つ１００度より小さくてよい。
【００１４】
別の態様に係る照明装置において、光軸を含み、反射面に直交する基準面内において、配光角を成す出射光と、反射面との交点から第２面までの距離をＬとし、配光角をαとすると、発光素子から第１面までの距離であるＤは、式（１）を満たしてよい。
Ｄ＝Ｌ×ｔａｎ（α）  …（１）
【００１５】
別の態様に係る照明装置において、反射面の拡散反射率が、０％より大きく且つ７０％より小さくてよい。
【００１６】
別の態様に係る照明装置において、ピーク光度Ｉｐを１とし、配光角０度における出射光のピーク光度Ｉｐに対する相対光度をＩ０°、配光角３０度における出射光のピーク光度Ｉｐに対する相対光度をＩ３０°、及び配光角６０度における出射光のピーク光度Ｉｐに対する相対光度をＩ６０°とするとき、光束制御部材は、式（２）及び式（３）を満たすように出射光を制御してよい。
１．５×Ｉ０°≦Ｉ３０°≦２×Ｉ０°  …（２）
４．５×Ｉ３０°≦Ｉ６０°  …（３）
【００１７】
本発明の一態様に係る照明システムは、発光素子と、発光素子を覆い、発光素子からの出射光を発光素子の光軸周りに６０度以上かつ９０度未満の配光角において出射光がピーク光度Ｉｐを有するように広げて通過させる光束制御部材と、光束制御部材からの出射光の一部を反射させて反射光を生成する反射面を有する反射板と、光束制御部材からの出射光と反射板からの反射光との両方が照射される非透過性被照射面を有する被照射部と、を備える。具体的にこのような発光素子と光束制御部材としては、３Ｍ製ＬＥＤモジュールＶシリーズ（ＶＬ３−８０００、ＨＶＬ−８２００）等の市販のものを使用することもできる。
【００１８】
別の態様に係る照明システムにおいて、光軸と、被照射面の法線との成す角が、０度以上かつ１０度未満であってよい。
【００１９】
別の態様に係る照明システムにおいて、被照射部は、看板または壁であってよい。
【００２０】
上記の態様において「発光素子を覆い」とは、発光素子全体を覆う場合に限定されず、発光素子からの出射光の少なくとも一部が通過する領域に配置された態様を含む。また、「発光素子の光軸」とは、発光素子から出射される光の強度が最大となる方向に出射される光線を示す。「配光角」とは、発光素子からの光が光軸から所定の角度を成して出射されるとき、その所定の角度を意味する。「ピーク光度Ｉｐ」とは、発光素子からの光が光軸から所定の角度を成して出射されるとき、その出射光の光強度が最大となるときの光強度を意味する。「反射面」とは、入射された光の光路を変える境界面を意味する。「非透過性の被照射面」とは、被照射面に照射された光が、その被照射面を透過しないで反射される被照射面の性質を意味する。
【００２１】
以下、図面を参照しながら、照明装置及び照明システムの実施形態について詳細に説明する。本説明において、同一要素には同一符号を用いることとし、重複する説明は省略する。
【００２２】
（第１実施形態）
図１は、本発明の第１実施形態に係る照明装置及び照明システムを模式的に示した図であり、図２は、第１実施形態に係る発光素子モジュールを概略的に示す断面図である。図１及び図２に示されるように、照明装置ＩＬ１は、発光素子モジュール１を備える。発光素子モジュール１は、光源ユニット２０を有し、光源ユニット２０は、発光素子３０と光束制御部材４０とによって形成される。照明装置ＩＬ１は、支持台７１を備え、支持台７１は、当該支持台７１上に光源ユニット２０を載置できる支持面７１ａを有する。
【００２３】
発光素子３０（図２参照）は、光出力部（光源）３１を有し、本実施形態では、光出力部３１から出射される発光素子３０の光軸ＲＬと定義する。また、光出力部３１の中心を基準点ＢＰと仮定し、基準点ＢＰを通り、光軸ＲＬに沿った直線を発光素子モジュール１の基準直線ＳＬと定義する。本実施形態では、基準直線ＳＬと光軸ＲＬとは一致する。
【００２４】
本実施形態では、各図に対してＸ軸、Ｙ軸、Ｚ軸を設定しているが、これらの各軸は、説明のために便宜的に設定されており、光軸ＲＬが延びる方向にＺ軸が設定される。発光素子モジュール１からの光は、Ｚ軸方向に出射される。
【００２５】
発光素子３０は、例えば、ガリウム砒素、窒化ガリウムなどの化合物に電流を流して光を発生させる発光ダイオード（ＬＥＤ：Light Emitting Diode）を含む。発光素子３０は、ＬＥＤ自体の発光色以外の光を得るために蛍光体を備えてもよい。また、発光素子３０は、例えば、蛍光体を混ぜ合わせた樹脂材料やシートで覆われたＬＥＤを含んでもよく、発光面に蛍光体を塗布したＬＥＤを含んでもよい。
【００２６】
光束制御部材４０は、発光素子３０を覆うように配置されている。光束制御部材４０は、発光素子３０からの出射光Ｌ１を発光素子３０の光軸ＲＬ周りに広げて通過させる。具体的には、光束制御部材４０は、６０度以上かつ９０度未満の配光角において、出射光Ｌ１がピーク光度Ｉｐを有するように広げて通過させる。
【００２７】
照明装置ＩＬ１は、反射板７２を更に備える。反射板７２は、反射面７２ａを有し、反射面７２ａは、第１面Ｆ１に含まれる。反射面７２ａは、光束制御部材４０からの出射光Ｌ１の一部を反射させて反射光Ｌ２０を生成する。反射板７２は、例えば、鏡面反射板、当該鏡面反射板と拡散シートとの組み合わせ、又は白色板を含む。鏡面反射板は、例えば銀蒸着板やアルミニウム蒸着板といった金属板又は高反射多層膜フィルムを含み、アルミニウム蒸着板は、具体的には、例えばＡＬＡＮＯＤ社ＭＩＲＯシリーズのＭＩＲＯ８又はＭＩＲＯ６である。高反射多層膜フィルムは、例えばポリエステル系樹脂を用いた多層膜構造を有する反射フィルムであり、具体的には、高反射多層膜フィルムは、例えば、３ＭＴＭＥＳＲ反射フィルムである。拡散シートは、例えばポリエステル系樹脂を用いた拡散シートである。白色板は、例えば白色塗装板又は白色フィルムを含み、白色フィルムは、具体的には、例えばアクリル又は塩ビフィルムである。
【００２８】
表１は、反射板７２に含まれる材料を例示し、その例示された材料における全光線反射率ＡＲ、拡散反射率ＤＲ、及び全光線反射率ＡＲに対する拡散反射率ＤＲの割合（ＤＲ／ＡＲ）を示す。表１に示されるように、反射面７２ａは、０％より大きく且つ７０％より小さい拡散反射率を有することができて、拡散反射率がこの範囲にあるとき、良好な反射特性を示すことができる。
【００２９】
【表１】
2018195427.tif 000003
【００３０】
発光素子３０の光源３１は、第２面Ｆ２上に配置されている。第２面Ｆ２は、光源３１を通り、且つ光軸ＲＬに直交する仮想的な平面である。第２面Ｆ２は、例えば、支持面７１ａと略平行である。ここで、光軸ＲＬを含み、反射面７２ａに直交する基準面ＳＦを仮定した場合、基準面ＳＦ上において、第２面Ｆ２と第１面Ｆ１との間の交差角θを定義できる。具体的に説明すると、交差角θは、基準面ＳＦ及び第２面Ｆ２の交線と、基準面ＳＦ及び第１面Ｆ１の交線との交角のうち、反射面７２ａの法線側の角度を意味する。交差角θは、８０度より大きく、且つ１００度より小さく設定することができる。例えば、交差角θは９０度である。
【００３１】
光束制御部材４０からの出射光Ｌ１は、第１出射光Ｌ１１と第２出射光Ｌ１２とを含む。第１出射光Ｌ１１は、例えば、基準面ＳＦ内において、配光角αを成して反射板７２に向かって基準面ＳＦ内を進む出射光Ｌ１である。また、第２出射光Ｌ１２は、例えば、配光角αを成し、光軸ＲＬに対して第１出射光Ｌ１１と反対方向に基準面ＳＦ内を進む出射光Ｌ１である。
【００３２】
基準面ＳＦ内において、第１出射光Ｌ１１は、第１反射点Ｒ１（交点ＲＦ１）において反射面７２ａに反射される。第１反射点Ｒ１から第２面Ｆ２までの距離をＬとし、配光角をαとするとき、発光素子３０、即ち、光源３１から第１面Ｆ１までの距離であるＤは、式（１）を満たすことができる。
Ｄ＝Ｌ×ｔａｎ（α）  …（１）
【００３３】
交差角θが９０度であるとき、反射面７２ａの法線をＮＬ１とすると、第１反射点Ｒ１での反射角β（度）は、β＝９０°−αである。また、交差角θが９０度であるとき、反射面７２ａで反射された反射光Ｌ２０は、基準面ＳＦ内において、反射面７２ａに平行な光軸ＲＬと角度αを成すので、第２出射光Ｌ１２と平行に進むことができる。
【００３４】
本実施形態では、ピーク光度Ｉｐを１とし、配光角０度における出射光Ｌ１のピーク光度Ｉｐに対する相対光度をＩ０°、配光角３０度における出射光Ｌ１のピーク光度Ｉｐに対する相対光度をＩ３０°、及び配光角６０度における出射光Ｌ１のピーク光度Ｉｐに対する相対光度をＩ６０°とするとき、光束制御部材４０は、式（２）及び式（３）を満たすように出射光Ｌ１を制御することができる。
１．５×Ｉ０°≦Ｉ３０°≦２×Ｉ０°  …（２）
４．５×Ｉ３０°≦Ｉ６０°  …（３）
【００３５】
照明装置ＩＬ１は、複数の発光素子モジュール１を備えることができる（図１の（ｂ）図参照）。複数の発光素子モジュール１は、例えば、光源３１を通り、且つ基準面ＳＦに直交する配列線ＡＬに沿って並んで配置されている。図１の（ｂ）図では、配列線ＡＬに沿って隣り合う第１発光素子モジュール１ａ及び第２発光素子モジュール１ｂが示されている。以下、第１発光素子モジュール１ａの光束制御部材４０からの出射光Ｌ１のうち、配列線ＡＬを含み、且つ基準面ＳＦに直交する第３面Ｆ３上において、配光角αを成して第２発光素子モジュール１ｂ側に進む出射光Ｌ１を第３出射光Ｌ１３と表現する。また、第２発光素子モジュール１ｂの光束制御部材４０からの出射光Ｌ１のうち、第３面Ｆ３上において、配光角αを成して第１発光素子モジュール１ａ側に進む出射光Ｌ１を第４出射光Ｌ１４と表現する。
【００３６】
照明システムＩＬ２は、照明装置ＩＬ１と、照明装置ＩＬ１からの光が照射される被照射部７３とを備え、被照射部７３は、非透過性の被照射面７３ａを有する。例えば、本実施形態の場合、光軸ＲＬと被照射面７３ａの法線ＮＬ２とは略平行になっている。この略平行とは、光軸ＲＬと法線ＮＬ２とのなす角が０度以上且つ１０度未満であることを意図する。また、被照射部７３は、例えば看板又は壁等である。
【００３７】
非透過性の被照射面７３ａには、反射板７２からの反射光Ｌ２０と光束制御部材４０からの第２出射光Ｌ１２との両方が照射される。反射光Ｌ２０は、入射角βをもって第１照射点ＩＲ１に照射され、第２出射光Ｌ１２は、入射角βをもって第２照射点ＩＲ２に照射される。
【００３８】
第２面Ｆ２から被照射面７３ａまでの距離をＷとすると、被照射面７３ａと光軸ＲＬとの交点Ｈ１から被照射面７３ａの下端Ｈ２までの距離Ｈは、式（４）によって表されることができる。なお、式（４）を使うと、被照射面７３ａのサイズに応じた調整が可能となる。具体的には、第２面Ｆ２と被照射面７３ａとの距離Ｗを調整すれば、異なるサイズの被照射面７３ａの下端Ｈ２まで照射できるようになる。
Ｈ＝Ｗ×ｔａｎ（α）  …（４）
【００３９】
例えば、交差角θが９０度であるとき、基準面ＳＦ内において、第１照射点ＩＲ１から第２照射点ＩＲ２までの距離は、光源３１から第１面Ｆ１までの距離Ｄの２倍である。光源３１から第１面Ｆ１までの距離Ｄを調整すれば、第１照射点ＩＲ１と第２照射点ＩＲ２との距離を変更できる。
【００４０】
第３出射光Ｌ１３（図１（ｂ）参照）は、第３面Ｆ３内の被照射面７３ａ上において、例えば、第１発光素子モジュール１ａと第２発光素子モジュール１ｂとの中間に位置する第２反射点Ｒ２で交差する。第３面Ｆ３内の配列線ＡＬ上における第１発光素子モジュール１ａと第２発光素子モジュール１ｂとの間隔をＰとすると、Ｐ／２（Ｐの半分）と、第２面Ｆ２から被照射面７３ａまでの距離Ｗとには、式（５）の関係が成り立つ。
Ｐ／２＝Ｗ×ｔａｎ（α）  …（５）
【００４１】
図３は、実施形態に係る発光素子モジュール１の配光角０度〜９０度における相対光度の変化（配光分布）の例を示すグラフである。ここに示す縦軸の光度Ｉは、ピーク光度Ｉｐを「１．０００」とした場合の相対光度を示す。なお、図３では、比較のために、光束制御部材を備えていない発光素子（ＬＥＤ）のみの配光分布を破線で示している。
【００４２】
図３に示されるように、本実施形態の発光素子モジュール１では、光束制御部材４０により、配光角７０度近傍に出射光Ｌ１のピーク光度Ｉｐが存在するように制御されている。なお、出射光Ｌ１のピーク光度Ｉｐが存在する配光角は、光束制御部材４０の仕様を変更することで適宜に制御できる。例えば、出射光Ｌ１のピーク光度Ｉｐは、光束制御部材４０により、配光角６０度以上、もしくは６５度以上に有するように制御されていてもよいし、または、配光角９０度以下、８０度以下、もしくは７５度以下に有するように制御されていてもよい。このことは、発光素子モジュール１の出射光Ｌ１のピーク光度Ｉｐが、６０度〜９０度、６５度〜８０度、あるいは７０度〜７５度範囲に存在するように制御されているということもできる。
【００４３】
また、本実施形態の発光素子モジュール１は、光軸ＲＬ近傍、具体的には配光角０度から配光角３０度では、比較的緩やかに光度が上昇している。一方で、配光角３０度、４０度、あるいは４５度を過ぎるあたりから徐々に光度の上昇が高まり、ピーク光度Ｉｐに達している。具体的には、配光角が０度〜３０度のときの光度の強度（相対値）は、０．２程度を下回っている。そして、配光角が大きくなるに従って、光度の強度が単調に増加し、配光角が約７０度近傍のときに、光度の強度が最大値を示す。本実施形態の場合、光度の強度として相対値０．５以上となる角度範囲は、約５７度〜７３度である。また、光度の強度の最大値を示す配光角（約７０度）と相対値０．５以上となる角度範囲の最小値（５７度）との差は、１０度以上である。光度の強度として相対値０．５以上となる角度範囲が１０度以上であると、発光素子モジュール１は、広い範囲に渡りほぼ均一または緩やかな変化を持つ照度を実現し易くなる。また、光度の強度の最大値を示す配光角（約７０度）と相対値０．５以上となる角度範囲の最小値（５７度）との差が１０度以上であると、発光素子モジュール１は、広い範囲に渡りほぼ均一または緩やかな変化を持つ照度を実現し易くなる。
【００４４】
また、このような出射光Ｌ１の変化である配光分布は、各配光角度間の光度の比として表現することもできる。例えば、配光角３０度における光度Ｉ３０°は、配光角０度における光度Ｉ０°の１．５倍以上、あるいは１．６倍以上であり、かつ２倍以下、あるいは１．８倍以下である。一方、配光角６０度における光度Ｉ６０°は、配光角３０度における光度Ｉ３０°の４．５倍以上あるいは５倍以上である。光度Ｉ６０°は、光度Ｉ３０°の８倍以下、あるいは６倍以下であってもよい。また、配光角５０度における光度Ｉ５０°は、例えば、配光角３０度における光度Ｉ３０°の２倍以上、２．５倍以上であり、４倍以下、あるいは３．５倍以下であってもよい。
【００４５】
次に、発光素子モジュール１のより具体的な構成、及び光束制御部材４０の具体的な構成例について説明する。
【００４６】
図２に示されるように、発光素子モジュール１は、実装面１０Ａを有する基板１０と、基板１０の実装面１０Ａ上に固定された光源ユニット２０とを備える。光源ユニット２０は、発光素子３０と光束制御部材４０とによって形成される。基板１０は、発光素子３０が実装される矩形状の板状部材であり、例えば、アルミニウム、銅、ガラスエポキシ、又はガラスコンポジットを含む。
【００４７】
発光素子３０には、例えば、ドーム３２が設けられてもよく、このドーム３２は、光出力部３１の保護等を行う。ドーム３２は、例えば、ガラス、アクリル樹脂、ポリカーボネート樹脂、又はシリコーン樹脂等を含む。
【００４８】
光束制御部材４０は、発光素子３０を覆って基板１０に取り付けられ、また、発光素子３０からの出射光Ｌ１を発光素子３０の光軸ＲＬ周りに広げて出射させる。光束制御部材４０は、凹状レンズ部４１と凸状レンズ部４５とを有する。凹状レンズ部４１は、光束制御部材４０の内側に形成され、発光素子３０に対向する。凸状レンズ部４５は、光束制御部材４０の外側に形成され、凹状レンズ部４１の反対側に位置する。出射光Ｌ１は、凹状レンズ部４１から光束制御部材４０に入射し、凸状レンズ部４５を介して光束制御部材４０から出射する。凹状レンズ部４１は、基準直線ＳＬ（光軸ＲＬ）との交点である第１交点Ｎ１を有し、凸状レンズ部４５は、基準直線ＳＬ（光軸ＲＬ）との交点である第２交点Ｎ２を有する。基準点ＢＰ、第１交点Ｎ１及び第２交点Ｎ２は、この順で配列している。光束制御部材４０は、例えば、ガラス、アクリル樹脂、ポリカーボネート樹脂、又はシリコーン樹脂を含み、また、金型を用いた成形、切削研磨などの方法によって製造されることができる。
【００４９】
発光素子モジュール１は、光束制御部材４０と基板１０との間に封止部１１を備えることができる。封止部１１は、例えば、内側に中空部を有する円柱形状を有し、その中空部によって発光素子３０を取り囲むことができる。封止部１１は、基板１０と光束制御部材４０との間の空間のうち、発光素子３０が配置される中空部の空間ＳＰ１を封止することによって、封止部１１の外側領域からの水などの浸入を防止する。
【００５０】
また、封止部１１は、例えば、黒色の材質を用いることにより、光を吸収する特性をも有することができる。封止部１１を、光を吸収する特性を有する形態とすることにより、発光素子３０から出射される光の乱反射を低減でき、想定外の光が光束制御部材４０から出射されるのを防ぐことができる。なお、水などの浸入防止及び光吸収の特性を有する封止部１１を構成する材質としては、例えば、カーボン、金属酸化物などの顔料を含有させたＥＰＤＭ（エチレンプロピレンゴム）、フッ素ゴム、又はシリコーンゴムが好適である。また、本実施形態では、封止部１１は、光束制御部材４０とは別体の封止部材によって構成されているが、封止部１１は、例えば、光束制御部材４０と一体に形成されることもできる。
【００５１】
本実施形態に係る発光素子モジュール１及び反射板７２を備えた照明装置ＩＬ１及び照明システムＩＬ２では、発光素子３０からの出射光Ｌ１が光束制御部材４０を通過して拡散することで光軸ＲＬ近傍の出射光Ｌ１の光強度は相対的に低減し、逆に、光軸ＲＬから離れた方向への出射光Ｌ１の光強度は相対的に増大する。その結果、光束制御部材４０を通過した出射光Ｌ１の光強度は均一になり易く、輝度ムラの低減に有利である。この出射光Ｌ１の一部を反射することで生成される反射光Ｌ２０も光強度は均一になり易く、従って、出射光Ｌ１と反射光Ｌ２０とが重なり合ったとしても輝度ムラは生じ難い。つまり、反射光Ｌ２０の少なくとも一部が出射光Ｌ１の被照射面７３ａに重なるように設定することで、看板や壁等の非透過性の被照射面を照射するに際し、輝度ムラの抑制と輝度の向上とを両立できる。
【００５２】
（第２実施形態）
次に、図４を参照し、第２の実施形態に係る照明装置及び照明システムについて説明する。なお、第２の実施形態に係る照明装置及び照明システムと第１の実施形態に係る照明装置ＩＬ１及び照明システムＩＬ２とは、発光素子モジュールは異なるが、その他の要素や部材等を同一である。そのため、第２の実施形態に係る照明装置及び照明システムについては、相違点を中心に説明し、同一の部材や要素には同一の符号を付して詳細な説明は省略する。
【００５３】
図４に示されるように、第２の実施形態に係る発光素子モジュール１Ｐは、実装面１０Ａを有する基板１０と、基板１０の実装面１０Ａ上に固定された光源ユニット２０Ｐとを備える。光源ユニット２０Ｐは、基板１０に固定された３つの発光素子３０とレンズ一体カバー５０を備える。レンズ一体カバー５０は、各発光素子３０に対応した３つの光束制御部材４０Ｐを備える。レンズ一体カバー５０は、光束制御部材の一例である。
【００５４】
本実施形態に係る光束制御部材４０Ｐは、第１の実施形態に係る光束制御部材４０と実質的に共通し、発光素子３０に対向する内側に形成された凹状レンズ部４１と、凹状レンズ部４１の反対側である外側に形成された凸状レンズ部４５と、を備える。
【００５５】
発光素子モジュール１Ｐは、３つの発光素子３０と、これらに対応する３つの光束制御部材４０Ｐとが一体化されて一つの光源ユニット２０Ｐが形成されているので、光量が増大すると共に、光源ユニット２０Ｐの作製工程が簡便となる。３つの光束制御部材４０Ｐと基板１０の間には、例えば、各発光素子３０を囲む３つの封止部１１を設けることができる。図４では、基板１０は、実装面１０Ａが光軸ＲＬに沿った基準直線ＳＬと直交するようにＸ軸方向及びＹ軸方向に広がるように配置されており、正方形状のような形状を有しているが、基板１０の形状は、この正方形状に限定されず、長方形状又は円形状など、あらゆる形状を有することができる。
【００５６】
また、発光素子モジュール１Ｐは、電極部５１と、この電極部５１に接続されるワイヤ５２とを有する。電極部５１は、基板１０の実装面１０ＡのＸ軸方向の両端側の位置に１つずつ設けられている。電極部５１は、例えば、半田付けによってワイヤ５２に接続されている。各電極部５１に接続されたワイヤ５２は、基板１０のＸ軸方向の両側の縁部から外側へ向かって引き出されている。電極部５１を設ける位置やワイヤ５２の引き出し方向は特に限定されるものではなく、基板１０のＹ軸方向の端部側に電極部５１が設けられてＹ軸方向にワイヤ５２が引き出されてもよい。発光素子モジュール１Ｐでは、その外部の電源（不図示）から、ワイヤ５２を介して電極部５１に電力が供給される。供給された電力は、電極部５１から配線パターン（不図示）を介して発光素子３０に供給される。ワイヤ５２は、複数の発光素子モジュール１を直列または並列に電気的に接続することができる。配線パターンは、例えば、銅箔を含む。なお、電極部５１の露出面は、シリコーン等で被覆されることで防水機能が付与されることが望ましい。
【００５７】
発光素子モジュール１Ｐでは、基板１０の実装面１０Ａと反対側の面１０Ｂには、放熱板６０が重ねられて固定されている。放熱板６０は、基板１０に対して同等以上の熱伝導性を有し、例えば、アルミニウム板、鉄板、その他の金属板、アルミナ、窒化アルミナ等のセラミックス、あるいは、金属フィラー等の熱伝導性フィラー等であっても良い。なお、放熱板６０では、金属が使用される場合、アルマイト処理等の酸化被膜処理が行われてもよい。また、放熱板６０では、その表面に塗装等を行うことで、表面に微細な凹凸が形成されることが望ましい。放熱板６０の表面積が実質的に広がることで輻射率が上がり、放熱効率が改善される。一つの基板１０に複数の発光素子３０が設けられるので、大光量化につながるが、一方で、発光素子モジュール１Ｐの発熱量が増大する可能性もある。この発熱量の増大に対し、基板１０の裏面である面１０Ｂに放熱板６０を設けることにより、基板１０の発熱を効率よく緩和できる。
【００５８】
また、放熱板６０は、基板１０に重なって固着されると共に、基板１０との間で熱交換する主板部６１と、主板部６１に連続した状態で基板１０から張り出し、基板１０の側縁である端部１０Ｃに沿って屈曲された板状の笠部６２とを備える。
【００５９】
発光素子モジュール１Ｐの放熱板６０（主板部６１）の裏面には、接着部６３が設けられている。接着部６３は接着剤の他、例えば、両面テープ等であっても良い。発光素子モジュール１Ｐは、接着部６３によって看板内部の壁などに取り付けられる。発光素子モジュール１Ｐは、例えば、放熱板６０の笠部６２が上側となるように看板内部の壁に取り付けられる。
【００６０】
発光素子モジュール１Ｐでは、基準直線ＳＬの近傍で照度の強度ピークを示し、また、基準直線ＳＬから離れるに従って、単調に照度が減少する。また、第１の実施形態に係る発光素子モジュール１、つまり、１つの発光素子３０を有する発光素子モジュール１と同様に、基準直線ＳＬの近傍で照度のプロファイルがなだらかに変化し、被照射面７３ａの輝度ムラが低減する。照度の大きさを比較すると、本実施形態に係る発光素子モジュール１Ｐは、第１の実施形態に係る発光素子モジュール１に比べて、３倍の発光素子３０を備えていることに起因して約３倍大きくなる。
【００６１】
本実施形態に係る発光素子モジュール１Ｐ及び反射板７２を備えた照明装置及び照明システムでは、発光素子３０からの出射光Ｌ１が光束制御部材４０を通過して拡散することで光軸ＲＬ近傍の出射光Ｌ１の光強度は相対的に低減し、逆に、光軸ＲＬから離れた方向への出射光Ｌ１の光強度は相対的に増大する。その結果、光束制御部材４０を通過した出射光Ｌ１の光強度は均一になり易く、輝度ムラの低減に有利である。この出射光Ｌ１の一部を反射することで生成される反射光Ｌ２０も光強度は均一になり易く、従って、出射光Ｌ１と反射光Ｌ２０とが重なり合ったとしても輝度ムラは生じ難い。つまり、反射光Ｌ２０の少なくとも一部が出射光Ｌ１の被照射面７３ａに重なるように設定することで、看板や壁等の非透過性の被照射面を照射するに際し、輝度ムラの抑制と輝度の向上とを両立できる。
【実施例】
【００６２】
以下、本発明の実施例および比較形態によりさらに説明する。本発明は下記例に制限されない。
【００６３】
（実施例１）
図５の（ａ）図、（ｂ）図、及び（ｃ）図は、実施例１に係る照明装置のための照度測定器を示す図である。図５の（ａ）図は、照度測定器の正面図を示し、図５の（ｂ）図は、照度測定器の側面図を示す。図５の（ｃ）図は、光源ユニットの正面図を示す。実施例１に係る照明装置ＩＬ１ａは、上述の第２の実施形態に係る発光素子モジュール１Ｐに対応した光源ユニット２０Ｐを備える。この光源ユニット２０Ｐは、図４に示されるように、基板１０に固定された３つの発光素子３０とレンズ一体カバー５０を有する。レンズ一体カバー５０は、各発光素子３０に対応した３つの光束制御部材４０Ｐを備える。発光素子３０は、ＬＥＤを含む。光束制御部材４０Ｐからの出射光Ｌ１は、前述の式（１）及び式（２）を満たす。ここでは、発光素子および光束制御部材として、３Ｍ製ＬＥＤモジュールＶシリーズ（ＶＬ３−８０００）を使用した。
【００６４】
実施例１に係る照明装置ＩＬ１ａは、光源ユニット２０Ｐを載置する支持台７１、光源ユニット２０Ｐからの出射光Ｌ１を反射する反射板７２、照明装置ＩＬ１ａの照度を測定する照度計７４、及び照度計７４を保持する保持台７５を備える。照度計７４は、光源ユニット２０Ｐの光軸ＲＬ上に設置され、光源ユニット２０Ｐから照度計７４までの高さＨＴは、１メートルである。反射板７２は、３ＭＴＭＥＳＲ反射フィルムである。
【００６５】
図６の（ａ）図は、実施例１に係る照明装置における配光角と照度との関係を示す図である。図６の（ａ）図では、配光角αが−９０度から＋９０度までの出射光Ｌ１に対応する光の照度が示されている。
【００６６】
図６の（ａ）図におけるＡ−Ａ方向（グラフの破線）は、図５の（ｃ）図に示されるＡ−Ａ線に沿った仮想の断面上に沿って出射される出射光Ｌ１の照度の測定値であることを意味する。この出射光Ｌ１の進む方向をＡ−Ａ方向と称する。Ａ−Ａ方向では、配光角αが−９０度から＋９０度までのとき、出射光Ｌ１は、光源ユニット２０Ｐから反射板７２に対して略平行の方向に出射される。
【００６７】
図６の（ａ）図におけるＢ−Ｂ方向（グラフの実線）は、図５の（ｃ）図に示されるＢ−Ｂ線に沿った仮想の断面上に沿って出射される出射光Ｌ１の照度の測定値であることを意味する。この出射光Ｌ１の進む方向をＢ−Ｂ方向と称する。Ｂ−Ｂ方向では、配光角αが−９０度から０度までのとき、出射光Ｌ１は、光源ユニット２０Ｐから反射板７２に対して正反対方向に出射される。また、Ｂ−Ｂ方向では、配光角αが０度から＋９０度までのとき、出射光Ｌ１は、光源ユニット２０Ｐから反射板７２の正面方向に出射される。
【００６８】
図６の（ａ）図におけるＣ−Ｃ方向（グラフの一点鎖線）は、図５の（ｃ）図に示されるＣ−Ｃ線に沿った仮想の断面上に沿って出射される出射光Ｌ１の照度の測定値であることを意味する。この出射光Ｌ１の進む方向をＣ−Ｃ方向と称する。Ｃ−Ｃ方向では、配光角αが−９０度から０度までのとき、出射光Ｌ１は、光源ユニット２０Ｐから反射板７２に対して約４５°の方向に反射板７２から遠ざかるように出射される。また、配光角αが０度から＋９０度までのとき、出射光Ｌ１は、光源ユニット２０Ｐから反射板７２に対して約４５°の方向に反射板７２に近づくように出射される。
【００６９】
図６の（ｂ）図は、実施例１に係る照明装置の照度を測定した結果を示す図である。図６の（ｂ）図では、方位０度、方位９０度、方位１８０度、及び方位２７０度が示されており、方位０度は、出射光Ｌ１が光源ユニット２０Ｐから反射板７２の正面方向に進むことを示し、方位１８０度は、出射光Ｌ１が光源ユニット２０Ｐから反射板７２の正反対方向に進むことを示す。
【００７０】
図６の（ａ）図に示されるように、Ａ−Ａ方向に出射される光は、反射板７２によって反射されないので、照度は、配光角αに対して対称な値を有する。即ち、配光角αが−７０°〜−８０°の間にピーク光度を有し、更に＋７０°〜＋８０°の間にピーク光度を有する。
【００７１】
配光角αが０度から＋９０度までの角度領域では、Ｂ−Ｂ方向及びＣ−Ｃ方向に出射される出射光Ｌ１の照度が、Ａ−Ａ方向に出射される出射光Ｌ１の照度に比べて減少する一方で、配光角αが−９０度から０度までの角度領域では、Ｂ−Ｂ方向及びＣ−Ｃ方向に出射される出射光Ｌ１の照度が、Ａ−Ａ方向に出射される出射光Ｌ１の照度に比べて増大している。Ｂ−Ｂ方向及びＣ−Ｃ方向に出射される出射光Ｌ１は、配光角αが−７０°〜−８０°の間にピーク光度Ｉｐを有する。Ｂ−Ｂ方向において、ピーク光度Ｉｐを１とすると、配光角αが６０°及び３０°のとき、出射光Ｌ１の照度Ｉ６０°及び照度Ｉ３０°は、ぞれぞれ、０．００７及び０．０３であった。
【００７２】
配光角αが０度から＋９０度までの角度領域では、Ｂ−Ｂ方向及びＣ−Ｃ方向に出射される出射光Ｌ１は、反射板７２によって反射されるので、その照度が減少する一方で、配光角αが−９０度から０度までの角度領域では、Ｂ−Ｂ方向及びＣ−Ｃ方向に出射される出射光Ｌ１は、反射板７２の反対方向に進んだ出射光Ｌ１と反射板７２によって反射された出射光Ｌ１とが重なるので、その照度が増大することが示される。
【００７３】
図６の（ｂ）図に示されるように、方位１８０度における照度は、方位０度における照度に比べて増大している。方位０度において、光源ユニット２０Ｐからの出射光Ｌ１は、反射板７２によって反射されるので、その照度が減少する一方で、方位１８０度において、反射板７２の反対方向に進んだ光源ユニット２０Ｐからの出射光Ｌ１は、反射板７２によって反射された出射光Ｌ１と重なるので、その照度が増大することが示される。実施例１は、３ＭＴＭＥＳＲ反射フィルムといった鏡面反射板を含む反射板７２を設けることによって、反射板７２の反対方向への出射光Ｌ１の照度を増大させている。
【００７４】
（実施例２）
図６の（ｃ）図は、実施例２に係る照明装置における配光角と照度との関係を示す図であり、実施例１の図６の（ａ）図に対応する。図６の（ｄ）図は、実施例１に係る照明装置の照度を測定した結果を示す図であり、実施例１の図６の（ｂ）図に対応する。実施例２で、反射板７２の材質を除いて、実施例１と同じ照明装置ＩＬ１ａを用いた。実施例２の反射板７２は、鏡面反射板と拡散シートとの組み合わせを含む。鏡面反射板は、３ＭＴＭＥＳＲ反射フィルムとし、拡散シートは、ポリエステル系樹脂を用いた拡散シートである。
【００７５】
図６の（ｃ）図に示されるように、実施例１と同様に、配光角αが０度から＋９０度までの角度領域では、Ｂ−Ｂ方向及びＣ−Ｃ方向に出射される出射光Ｌ１の照度が、Ａ−Ａ方向に出射される出射光Ｌ１の照度に比べて減少する一方で、配光角αが−９０度から０度までの角度領域では、Ｂ−Ｂ方向及びＣ−Ｃ方向に出射される出射光Ｌ１の照度が、Ａ−Ａ方向に出射される出射光Ｌ１の照度に比べて増大した。Ｂ−Ｂ方向において、ピーク光度Ｉｐを１とすると、配光角αが６０°及び３０°のとき、ピーク光度Ｉｐに対する相対光度Ｉ６０°及び相対光度Ｉ３０°は、ぞれぞれ、０．００９及び０．０４であった。実施例２では、実施例１と比べると、ピーク光度Ｉｐの大きさは減少している一方で、ピーク光度Ｉｐに対する相対光度は、配光角αが６０°及び３０°の双方において増大している。実施例２は、実施例１に比べて、出射光Ｌ１の照度をより均一化できる。
【００７６】
また、図６の（ｄ）図に示されるように、方位１８０度における照度は、方位０度における照度に比べて増大した。実施例２は、鏡面反射板と拡散シートとの組み合わせを含む反射板７２を設けることによって、反射板７２の反対方向への光の照度を増大させている。
【００７７】
（実施例３）
図７の（ａ）図は、実施例３に係る照明装置における配光角と照度との関係を示す図であり、実施例１の図６の（ａ）図に対応する。図７の（ｂ）図は、実施例１に係る照明装置の照度を測定した結果を示す図であり、実施例１の図６の（ｂ）図に対応する。実施例３で、反射板７２の材質を除いて、実施例１と同じ照度測定器（図５の（ａ）図、図５の（ｂ）図、及び図５の（ｃ）図を参照）を用いた。実施例３の反射板７２は、白色フィルムを含み、白色フィルムは、具体的には、例えば塩ビフィルムである。
【００７８】
図７の（ａ）図に示されるように、実施例１と同様に、配光角αが０度から＋９０度までの角度領域では、Ｂ−Ｂ方向及びＣ−Ｃ方向に出射される出射光Ｌ１の照度が、Ａ−Ａ方向に出射される光の照度に比べて減少する一方で、配光角αが−９０度から０度までの角度領域では、Ｂ−Ｂ方向及びＣ−Ｃ方向に出射される出射光Ｌ１の照度が、Ａ−Ａ方向に出射される出射光Ｌ１の照度に比べて増大した。Ｂ−Ｂ方向において、ピーク光度Ｉｐを１とすると、配光角αが６０°及び３０°のとき、ピーク光度Ｉｐに対する相対光度Ｉ６０°及び相対光度Ｉ３０°は、ぞれぞれ、０．００９及び０．０９であった。実施例３では、実施例１と比べると、ピーク光度Ｉｐの大きさは減少している一方で、ピーク光度Ｉｐに対する相対光度は、配光角αが６０°及び３０°の双方において増大している。実施例３は、実施例１に比べて、非透過性の被照射面を有する被照射部における照度をより均一化できる。
【００７９】
また、図７の（ｂ）図に示されるように、方位１８０度における出射光Ｌ１の照度は、方位０度における出射光Ｌ１の照度に比べて増大した。実施例２では、白色板を含む反射板７２を設けることによって、反射板７２の反対方向への出射光Ｌ１の照度が増大している。
【００８０】
（比較例１）
図５の（ｄ）図、（ｅ）図、及び（ｆ）図は、比較例１に係る照明装置のための照度測定器を示す図である。図５の（ｄ）図は、照度測定器の正面図を示し、図５の（ｅ）図は、照度測定器の側面図を示す。図５の（ｆ）図は、光源ユニットの正面図を示す。比較例１に係る照明装置ＩＬ１ｂは、実施例１と同様の図４に示される光源ユニット２０Ｐを備え、光束制御部材４０Ｐからの出射光Ｌ１は、式（１）及び式（２）を満たす。比較例１に係る照明装置ＩＬ１ｂでは、実施例１に係る照明装置ＩＬ１ａから反射板７２が除かれている。
【００８１】
図７の（ｃ）図に示されるように、比較例１では、反射板７２が設けられないので、Ａ−Ａ方向、Ｂ−Ｂ方向及びＣ−Ｃ方向に出射される出射光Ｌ１の照度は、配光角αに対して対称な値を有する。即ち、配光角αが−７０°〜−８０°の間にピーク光度を有し、更に＋７０°〜＋８０°の間にピーク光度を有する。また、図７の（ｄ）図に示されるように、照度は全方位において同一であり、反射板７２の反対方向における出射光Ｌ１の照度が増大することはなかった。
【００８２】
（実施例４）
図８の（ａ）図は、実施例４に係る照射システムにおいて非透過性の被照射面上の照度を測定した結果を示す図である。実施例４に係る照射システムは、図１に示す照射システムと同様の構造を有し、実施例４では、第２面Ｆ２から被照射面までの距離が６５０ｍｍであり、反射板７２は、３ＭＴＭＥＳＲ反射フィルムである。実施例４の光源ユニットは、光束制御部材４０を備える。
【００８３】
図８の（ａ）図において、第１エリアＺ１（図中、数字「１」を円で囲んで表記したポイント）は、光源ユニット２０Ｐの正面に位置する。第１エリアＺ１から第４エリアＺ４に向かうに従って、被照射面７３ａと光軸ＲＬとの交点Ｈ１から被照射部の被照射面７３ａの下端Ｈ２に近づく。第１エリアＺ１から第７エリアＺ７に向かうに従って、交点Ｈ１から被照射部の被照射面７３ａの端部に近づく。各ポイント間の距離は、約４００ｍｍとした。
【００８４】
（比較例２）
図７の（ｂ）図は、比較例２に係る照射システムにおいて非透過性の被照射面上の照度を測定した結果を示す図である。比較例２に係る照射システムは、図１に示す照射システムと同様の構造を有し、比較例２では、第２面Ｆ２から被照射面までの距離が６５０ｍｍである。比較例２の光源ユニットは、実施例４と異なり、光束制御部材４０を備えない。
【００８５】
図８の（ｂ）図において、第１エリアＺ１（図中、数字「１」を円で囲んで表記したポイント）は、光源ユニット２０Ｐの正面に位置する。第２エリアＺ１〜第７エリアＺ７も同様である。第１エリアＺ１から第２エリアＺ２、第３エリアＺ３、そして第４エリアＺ４に向かう方向は、上下方向、つまり、被照射面７３ａと光軸ＲＬとの交点Ｈ１から図１の（ａ）図の下側に向かう方向である。また、第１エリアＺ１から第５エリアＺ５、第６エリアＺ６、そして第７エリアＺ７に向かう方向は、横方向、つまり、交点Ｈ１から図１の（ｂ）図の上側に向かう方向である。第１エリアＺ１〜第７エリアＺ７の各間隔は、約４００ｍｍとした。
【００８６】
表２は、実施例４及び比較例２における被照射面７３ａの第１エリアＺ１〜第７エリアＺ７での照度をまとめて示す表である。
【００８７】
【表２】
2018195427.tif 000004
【００８８】
表２に示されるように、実施例４では、第１エリアＺ１において照度が最大値２３５（ｃｄ／ｍ２）を有し、第４エリアＺ４において照度が最小値１３５（ｃｄ／ｍ２）を有する。実施例４において最小値に対する最大値の割合ＲＴ１は、ＲＴ１＝（２３５／１３５）＝１．７である。一方、比較例２では、第２エリアＺ２において照度が最大値１０１２（ｃｄ／ｍ２）を有し、第７エリアＺ７において照度が最小値３７（ｃｄ／ｍ２）を有する。比較例２において最小値に対する最大値の割合ＲＴ２は、ＲＴ２＝（１０１２／３７）＝２７である。この結果から、光束制御部材４０を備える実施例４では、被照射面７３ａにおける照度が、比較例２に比べて均一化されていることが示される。
【００８９】
本発明は、上記実施形態に限定されるものではなく、その趣旨を逸脱しない範囲において、適宜変更可能である。例えば、上記実施形態では、図１の（ａ）図及び（ｂ）図に示されるように、一又は複数の発光素子モジュール１に対して一つの反射板７２が設けられ、更に、反射板７２は、光軸ＲＬに対して同一方向に延存するように設けられている。反射板７２の数は、複数であってもよく、また、反射板７２を配置する場所や向きは、発光素子３０の位置や反射光Ｌ２０が照射される被照射面の位置等を参照しつつ任意に設定されてもよい。反射板７２の形状は、平面型に限られず、ドーム型やアーチ型といった曲面型であってもよい。
【符号の説明】
【００９０】
１、１Ｐ…発光素子モジュール、１０…基板、１０Ａ…実装面、１０Ｃ…端部、２０…光源ユニット、３０…発光素子、３１…光出力部（光源）、４０…光束制御部材、４１…凹状レンズ部、４５…凸状レンズ部、７２…反射板、７２ａ…反射面、７３…被照射部、７３ａ…被照射面、Ｆ１…第１面、Ｆ２…第２面、ＩＬ１…照明装置、ＩＬ２…照明システム、Ｌ１…出射光、ＲＬ…光軸、ＳＦ…基準面、ＳＬ…基準直線。
【図１】
2018195427.tif 000005
【図２】
2018195427.tif 000006
【図３】
2018195427.tif 000007
【図４】
2018195427.tif 000008
【図５】
2018195427.tif 000009
【図６】
2018195427.tif 000010
【図７】
2018195427.tif 000011
【図８】
2018195427.tif 000012